(57)【要約】【課題】外観の意匠性に優れ、筐体の強度が充分大きい美容器具を提供する。【解決手段】磁石１７を有する吸着ヘッド部１３と作用電極１８とを備えた美容器具１である。美容器具１は、メインケース２と、メインケース２の表側に配設された表側部品と、裏側に配設された裏側部品とを有している。表側部品には第１部品３と第２部品４とが含まれている。裏側部品には磁石１７を覆う磁石カバー１４が含まれている。第１部品３は、第２部品４側の端部に設けられた第１係合部を、メインケース２に設けられた第１被係合部に対して表裏方向への変位が規制されるように係合させた状態で配設されている。第２部品４は、第１部品３側の端部に設けられた第２係合部を、第１部品３に設けられた第２被係合部に対して表裏方向への変位が規制されるように係合させた状態で配設されている。第２部品４と第１部品３とメインケース２とが積層された積層補強部１２を有している。【選択図】図５
2014117496.tif 000002
【特許請求の範囲】
【請求項１】
磁石を内蔵させた吸着ヘッド部と、イオン導入用の作用電極とを備えた美容器具であって、
該美容器具の略全長にわたって配されるメインケースと、
該メインケースの厚み方向の一方である表側に配設された表側部品と、その反対側の裏側に配設された裏側部品とを有し、
上記表側部品には、上記メインケースの長手方向に沿って順次配設される第１部品と第２部品とが含まれており、
上記裏側部品には、上記メインケースの長手方向のいずれかの端部に配設された上記磁石を覆う磁石カバーが含まれており、
上記第１部品は、上記第２部品側の端部に設けられた第１係合部を、上記メインケース上に設けられた第１被係合部に対して表裏方向への変位が規制されるように係合させた状態で配設され、
上記第２部品は、上記第１部品側の端部に設けられた第２係合部を、上記第１部品上に設けられた第２被係合部に対して表裏方向への変位が規制されるように係合させた状態で配設されており、
上記第２部品と上記第１部品と上記メインケースとが積層された積層補強部を有していることを特徴とする美容器具。
【請求項２】
請求項１に記載の美容器具において、上記第１係合部は上記積層補強部における上記第２部品側の端部に配されており、上記第２係合部は上記積層補強部における上記第１部品側の端部に配されていることを特徴とする美容器具。
【請求項３】
請求項１または２に記載の美容器具において、上記第１被係合部は上記第１係合部を上記メインケースの長手方向から挿入可能に構成されており、上記第２被係合部は上記第２係合部を上記メインケースの長手方向から挿入可能に構成されていることを特徴とする美容器具。
【請求項４】
請求項１〜３のいずれか１項に記載の美容器具において、上記積層補強部の断面の外形状が略円形を呈していることを特徴とする美容器具。
【請求項５】
請求項１〜４のいずれか１項に記載の美容器具において、上記磁石及び上記磁石カバーは、上記メインケースにおける第１部品側の端部に配設されていることを特徴とする美容器具。
【請求項６】
請求項５に記載の美容器具において、上記第１部品の表側にはイオン導入用の対電極が配設されており、上記メインケースに対して上記第２部品の反対側には、上記作用電極が配設されていることを特徴とする美容器具。
【請求項７】
請求項６に記載の美容器具において、上記作用電極及び上記対電極の双方は、外表面に酸化クロムメッキを施した硬質プラスチックよりなることを特徴とする美容器具。
【請求項８】
請求項１〜７のいずれか１項に記載の美容器具において、上記メインケースに対して上記第２部品の反対側には、上記美容器具に動作用電力を供給する電池が内蔵されていることを特徴とする美容器具。
【発明の詳細な説明】
【技術分野】
【０００１】
本発明は、人体肌の美容のために用いる美容器具に関する。
【０００２】
肌の美容のために用いられるペースト状の美容剤として、肌に塗布してから暫く時間を置いた後に除去することにより、肌の汚れや老廃物等を美容剤とともに除去するものがある。このような美容剤は、塗布後に時間をおくことで皮膜状になるものと、時間をおいてもペースト状態を維持するものとに大別される。
【０００３】
塗布後に皮膜状になる美容剤は、その一部を把持して引き剥がすことにより、容易に肌から分離することができる。一方、塗布後においてもペースト状態を維持するものを肌から除去する方法としては、コットン等による拭き取りや、ぬるま湯等により洗い落とす方法が一般的である。最近では、これらの一般的方法よりもより簡便に使用後の美容剤を除去する方法が望まれていた。
【０００４】
例えば特許文献１や特許文献２に開示されるように、鉄粉を混合した皮膚用クリームと、本体に磁石を備えたリムーバーとを組み合わせて用いる方法が提案されている。これらの皮膚用クリームとリムーバーとを用いれば、肌に塗布された使用後の皮膚用クリームを磁力により容易に除去することができ、肌の汚れや老廃物を皮膚用クリーム中の鉄粉と一緒に除去することができる。
【０００５】
また、上記の肌における汚れや老廃物を除去する作業とは別に、美容成分を含む化粧剤を肌に塗布し、美容成分を肌内部に浸透させる作業を行うことも、肌の美容には有効である。通常は、美容成分を肌表面に塗布し、時間の経過とともに肌内部に自然に浸透させる手法がとられる。一方、近年、美容成分が肌内部に浸透することを促進させる方法として、例えば特許文献３に記載されているような、イオン化成分を含む化粧水を肌に塗布した後、イオン導入器を用いて電気的に処理する方法が提案されている。
【先行技術文献】
【特許文献】
【０００６】
【特許文献１】特開２００５−３１２４９７号公報
【特許文献２】特開２００４−１８７８７４号公報
【特許文献３】特開２００５−２３７５４５号公報
【発明の概要】
【発明が解決しようとする課題】
【０００７】
上述した肌の汚れや老廃物を除去する作業と、肌内部へ美容成分を浸透させる作業とは、これらを連続して行えば、肌の美容により有効である。そのため、これら２つの作業を連続して行う際の利便性を向上できるように、リムーバーとイオン導入器とを一体化した美容器具の開発が望まれていた。
【０００８】
このような美容器具は、磁力を発生させる磁石や、イオン導入器を動作させる電源、あるいはイオン導入器の動作を制御する制御基板等を筐体内に収容させることにより構成される。また、上記美容器具は、その使用者にとっての使い易さの観点から、長手方向の端部に磁石やイオン導入器の電極を配置する必要がある。そのため、上記美容器具は、使用する際等に筐体の長手方向の略中央部に曲げ方向やねじり方向の力がかかりやすく、これらの力に対する強度を充分に大きくする必要があった。
【０００９】
ところで、一般的な美容器具には、機能や性能とともに、外観の意匠性にも優れていることが求められる場合が多い。しかしながら、上記美容器具の筐体は、強度を向上させるために外観デザインがある程度制約され、意匠性を高めることが難しかった。
【００１０】
本発明は、上記の背景に鑑みてなされたものであり、外観の意匠性に優れ、筐体の強度が充分大きい美容器具を提供しようとするものである。
【課題を解決するための手段】
【００１１】
本発明の一態様は、磁石を内蔵させた吸着ヘッド部と、イオン導入用の作用電極とを備えた美容器具であって、
該美容器具の略全長にわたって配されるメインケースと、
該メインケースの厚み方向の一方である表側に配設された表側部品と、その反対側の裏側に配設された裏側部品とを有し、
上記表側部品には、上記メインケースの長手方向に沿って順次配設される第１部品と第２部品とが含まれており、
上記裏側部品には、上記メインケースの長手方向のいずれかの端部に配設された上記磁石を覆う磁石カバーが含まれており、
上記第１部品は、上記第２部品側の端部に設けられた第１係合部を、上記メインケース上に設けられた第１被係合部に対して表裏方向への変位が規制されるように係合させた状態で配設され、
上記第２部品は、上記第１部品側の端部に設けられた第２係合部を、上記第１部品上に設けられた第２被係合部に対して表裏方向への変位が規制されるように係合させた状態で配設されており、
上記第２部品と上記第１部品と上記メインケースとが積層された積層補強部を有していることを特徴とする美容器具にある（請求項１）。
【発明の効果】
【００１２】
上記美容器具は、磁石を内蔵させた吸着ヘッド部と、イオン導入用の作用電極とを備えている。そのため、使用者が美容剤を塗布した肌面に上記吸着ヘッド部を近づけると、その磁力により、磁性粉末を含んだ美容剤が上記吸着ヘッド部に吸着される。その結果、上記美容器具は、使用後の美容剤を簡便に除去することができる。
【００１３】
また、使用者が電荷を帯びた美容成分を塗布した肌面に上記作用電極を接触させることにより、当該接触部分にイオン導入電流が流れ、上記美容成分が肌内部へ向けて移動しやすくなる。その結果、上記美容器具は、美容成分の浸透を促進させ、美容効果を迅速に発揮させやすくなる。
【００１４】
そして、上記美容器具は、上述のように、上記吸着ヘッド部と上記作用電極との両方を有している。そのため、上記美容器具は、上述のように、美容剤により肌の汚れや老廃物を除去する作業と、イオン導入電流により電荷を帯びた美容成分を肌内部へ浸透させる作業との両方を、１つの器具によって容易に連続して実施することができる。その結果、使用者は、上記２つの作業について別々の器具を準備し、使い分ける必要がなくなる。
【００１５】
また、上記メインケースと上記第１部品とが上述のように係合されており、上記第１部品と上記第２部品とが上述のように係合されている。そのため、上記美容器具に対して曲げ方向やねじり方向への力がかかった場合、これらの力を各々の係合部及び被係合部を介して上記積層補強部に分散させやすくなる。
【００１６】
また、上記第２部品と上記第１部品と上記メインケースとが積層された上記積層補強部が設けられている。そのため、上記美容器具に対して曲げ方向やねじり方向への力がかかった場合、これらの力に対する強度を構造的に向上させることができる。このように、上記美容器具は、曲げ方向やねじり方向への力を上記積層補強部に分散させる効果と、上記積層補強部による構造的な強度向上効果との双方の効果により、曲げ方向やねじり方向への力に対する強度をより向上させることができるものとなる。
【００１７】
また、上述のように上記積層補強部を設けることにより、上記美容器具の筐体の強度を向上させることができるため、上記美容器具は、外観のデザインをより自由に行うことができるものとなる。その結果、上記美容器具は、外観の意匠性に優れたものとなる。
【００１８】
以上のように、上記美容器具は、外観の意匠性に優れ、筐体の強度が充分大きいものとなる。
【図面の簡単な説明】
【００１９】
【図１】実施例における、美容器具の部品を展開した状態の側面図。
【図２】実施例における、美容器具の斜視図。
【図３】実施例における、美容器具の表面図。
【図４】実施例における、美容器具の裏面図。
【図５】図３のＡ−Ａ線矢視断面図。
【図６】実施例における、美容器具の第１係合部と第１被係合部との係合状態を示す説明図（図５のＢ−Ｂ線矢視断面図）。
【図７】実施例における、美容器具の第２係合部と第２被係合部との係合状態を示す説明図（図５のＣ−Ｃ線矢視断面図）。
【図８】実施例における、メインケースの斜視図。
【図９】実施例における、メインケースの側面図。
【図１０】実施例における、メインケースの表面図。
【図１１】実施例における、メインケースの裏面図。
【図１２】図９のＤ−Ｄ線矢視断面図。
【図１３】図１０のＥ−Ｅ線矢視断面図。
【図１４】実施例における、第１部品の斜視図。
【図１５】実施例における、第１部品の側面図。
【図１６】実施例における、第１部品の表面図。
【図１７】実施例における、第１部品の裏面図。
【図１８】図１６のＦ−Ｆ線矢視断面図。
【図１９】図１６のＧ−Ｇ線矢視断面図。
【図２０】図１６のＨ−Ｈ線矢視断面図。
【図２１】実施例における、対電極の斜視図。
【図２２】実施例における、対電極の裏面図。
【図２３】図２２のＩ−Ｉ線矢視断面図。
【図２４】実施例における、導光部材の斜視図。
【図２５】実施例における、第２部品の斜視図。
【図２６】実施例における、第２部品の側面図。
【図２７】実施例における、第２部品の裏面図。
【図２８】図２７のＪ−Ｊ線矢視断面図。
【図２９】実施例における、作用電極の斜視図。
【図３０】実施例における、磁石カバーを斜め下方から見た斜視図。
【図３１】実施例における、磁石カバーを斜め上方から見た斜視図。
【図３２】実施例における、電池蓋を斜め下方から見た斜視図。
【図３３】実施例における、電池蓋を斜め上方から見た斜視図。
【発明を実施するための形態】
【００２０】
上記美容器具において、上記第１係合部及び上記第２係合部は、上記積層補強部上に配されていればよい。つまり、上記第１係合部及び上記第２係合部は、いずれも、上記第１部品における上記第２部品側の先端から上記第２部品における上記第１部品側の先端までの範囲に配されていればよい。上記美容器具の長手方向における上記第１係合部及び上記第２係合部の各々の位置が上述した範囲であれば、上記美容器具は、曲げ方向やねじり方向への力に対する強度を向上させることができる。
【００２１】
このうち、上記第１係合部は上記積層補強部における上記第２部品側の端部に配されており、上記第２係合部は上記積層補強部における上記第１部品側の端部に配されていることが好ましい（請求項２）。この場合には、上記第１係合部及び上記第２係合部は、上記美容器具の長手方向において、互いに離間して配置されることとなる。そのため、曲げ方向やねじり方向への力が上記積層補強部全体に分散される。その結果、上記美容器具は、曲げ方向やねじり方向への力に対する強度をより向上させることができる。
【００２２】
また、上記第１被係合部は上記第１係合部を上記メインケースの長手方向から挿入可能に構成されており、上記第２被係合部は上記第２係合部を上記メインケースの長手方向から挿入可能に構成されていてもよい（請求項３）。この場合には、上記第１部品を上記メインケースに組み付ける作業と、上記第２部品を上記第１部品に組み付ける作業との双方を容易に行うことができる。その結果、上記美容器具の組立作業をより効率的に行うことができる。
【００２３】
また、上記積層補強部の断面の外形状が略円形を呈していることが好ましい（請求項４）。この場合には、上記積層補強部の強度をより向上させることができる。なお、上記外形状の略円形とは、幾何学上定義される円や楕円を含み、一般的な感覚として円状と認識される程度に上記の円や楕円を変形させた形状を含む概念である。
【００２４】
また、上記磁石及び上記磁石カバーは、上記メインケースにおける第１部品側の端部に配設されていることが好ましい（請求項５）。上記第１部品の上記第１係合部は、上記積層補強部において、上記メインケースと上記第２部品との双方の間に配置されている。これにより、上記第１係合部は、上記メインケースと上記第２部品との双方により表裏方向への変位を規制されるため、より大きな曲げ力に耐えることができる。そのため、比較的重量の大きい上記磁石を上記第１部品側の端部に配設することにより、上記積層補強部による強度向上効果をより効果的に利用することができる。
【００２５】
また、上記第１部品の表側にはイオン導入用の対電極が配設されており、上記メインケースに対して上記第２部品の反対側には、上記作用電極が配設されていてもよい（請求項６）。上記対電極を配設することにより、上記作用電極と上記対電極との双方と人体とが接触すると、上記美容器具と人体との間に環状の電流経路が形成される。また、上記対電極を上述の位置に配置することにより、イオン導入を行う際に上記対電極が使用者の掌と接触しやすくなるため、上記対電極が人体と接触する面積を広くすることが容易となる。その結果、イオン導入電流を人体により効率よく流すことが可能となる。
【００２６】
また、この場合には、上記作用電極と上記対電極とは、上記メインケースに対して互いに反対側の面に配置されることとなる。これにより、上記美容器具は、机上等に載置する際に、作用電極と対電極とが同時に載置面と接触する可能性を低減することができる。そのため、上記美容器具は、作用電極と対電極とが載置面を介して導通する可能性を低減でき、消費電力を低減しやすくなる。その結果、使用者にとっての利便性をより向上させることができる。
【００２７】
また、上記作用電極及び上記対電極の双方は、外表面に酸化クロムメッキを施した硬質プラスチックより形成されていてもよい（請求項７）。酸化クロムメッキにより形成される皮膜は、耐久性に優れるものとなるため、上記作用電極及び上記対電極が長期間の使用に耐えうるものとなる。その結果、上記美容器具は、耐久性の高いものとなる。また、酸化クロムメッキによる皮膜は、高い光沢を容易に得ることができる。そのため、上記作用電極及び上記対電極を硬質プラスチックで形成することによる形状の自由度と上述した高い光沢との相乗効果により、上記美容器具は、より意匠性に優れるものとなる。
【００２８】
なお、上記作用電極及び上記対電極を構成する硬質プラスチックとしては、例えば、ＡＢＳ樹脂、アクリル樹脂、ポリスチレン、ポリカーボネート等の種々の樹脂を採用することができる。これらの樹脂は、上記メインケースや上記第１部品等、上記美容器具を構成するその他の部品を形成する材料として使用してもよい。
【００２９】
また、上記メインケースに対して上記第２部品の反対側には、上記美容器具に動作用電力を供給する電池が内蔵されていてもよい（請求項８）。この場合には、上記第２部品側に剛性の高い電池が配置されるため、上記第２部品側においても、曲げ力に対する強度を向上させることができる。その結果、上記美容器具は、より強度の高いものとなる。
【実施例】
【００３０】
上記美容器具の実施例について、図１〜図３３を用いて説明する。美容器具１は、図１〜図４に示すように、磁石１７を内蔵させた吸着ヘッド部１３と、イオン導入用の作用電極１８とを備えている。また、美容器具１は、図１に示すように、美容器具１の略全長にわたって配されるメインケース２と、メインケース２の厚み方向の一方である表側に配設された表側部品１０と、その反対側の裏側に配設された裏側部品１１とを有している。
【００３１】
図１に示すように、表側部品１０には、メインケース２の長手方向に沿って順次配設される第１部品３と第２部品４とが含まれている。また、裏側部品１１には、磁石１７を覆う磁石カバー１４が含まれている。
【００３２】
第１部品３は、第２部品４側の端部に設けられた第１係合部３３を、メインケース２上に設けられた第１被係合部２５に対して表裏方向への変位が規制されるように係合させた状態（図６参照）で配設されている。また、第２部品４は、第１部品３側の端部に設けられた第２係合部４２を、第１部品３上に設けられた第２被係合部３４に対して表裏方向への変位が規制されるように係合させた状態（図７参照）で配設されている。
【００３３】
そして、美容器具１は、図５に示すように、第２部品４と第１部品３とメインケース２とが積層された積層補強部１２を有している。なお、以下において、美容器具１の前後方向に関して、メインケース２の長手方向における第１部品３側を「前方」といい、第２部品４側を「後方」ということがある。また、メインケース２の表側を「上方」、裏側を「下方」ということがある。また、メインケース２の表裏方向及び前後方向の双方に直交する方向を「側方」ということがある。これらの方向表示は便宜上のものであり、美容器具１の使用時における実際の向きとは何ら関係がない。
【００３４】
図１、図２及び図５に示すように、美容器具１は、側方から見て略弧状を呈し、前後方向（長手方向）の略中央部が両端部に対して上方に位置するように湾曲して形成されている。また、美容器具１の前後方向の両端部は、図３及び図４に示すように、上下方向から見たときの外形線が略円弧状を呈している。また、美容器具１の長手方向の中央部が、上下方向から見たときに両端に比べて幅狭に形成されている。
【００３５】
図３及び図４に示すように、美容器具１の前方端部には吸着ヘッド部１３が配置され、美容器具１の後方端部には作用電極１８が配置されている。また、美容器具１は、前方端部における吸着ヘッド部１３の反対側面（表面側）に対電極５を有している。対電極５は、作用電極１８とともに肌と接触することにより、美容器具１と人体との間に環状の電流経路を形成可能に構成されている。
【００３６】
また、美容器具１の長手方向における略中央部には、図５に示すように積層補強部１２が配されている。積層補強部１２は、図６に示すように、長手方向に垂直な断面の外形状が略楕円形を呈している。
【００３７】
美容器具１は、図１に示すように、メインケース２に対して表側（上方）に、表側部品１０として第１部品３、第２部品４、対電極５、導光部材６０及び制御基板１９（図示略）を有している。また、メインケース２に対して裏側（下方）に、裏側部品１１として磁石カバー１４、磁石１７、ヨーク材１７０、作用電極１８、電池蓋７、電池７２及び振動モータ２３１（図示略）を有している。本例の美容器具１は、メインケース２、第１部品３及び電池蓋７の材質にＡＢＳ樹脂を用いている。また、磁石カバー１４、作用電極１８、第２部品４及び対電極５は、外表面に酸化クロムメッキを施したＡＢＳ樹脂からなる成型品である。また、導光部材６０の材質にはアクリル樹脂を用いている。
【００３８】
以下、美容器具１の各部品について、組み付け手順に沿って詳細に説明する。なお、以下の組み付け手順は一例であり、適宜手順を入れ替えることも可能である。
【００３９】
＜振動モータ及び作用電極の組み付け作業＞
初めに、振動モータ２３１と作用電極１８とを、図１に示すようにメインケース２の裏面側から組み付ける作業（矢印１００）を行う。メインケース２は、図８及び図９に示すように、側方から見て略弧状を呈し、前後方向（長手方向）の略中央部が両端部に対して上方に位置するように湾曲して形成されている。また、メインケース２を上下方向から見た時の外形線（図３参照）は、美容器具１を上下方向から見たときの外形線（図１０参照）となる。すなわち、図１０及び図１１に示すように、メインケース２を上下方向から見た時の外形線が略円弧状を呈しており、メインケース２の長手方向の中央部が、上下方向から見たときに両端に比べて幅狭に形成されている。
【００４０】
また、メインケース２の裏面における後方端部には、図１１に示すように、振動モータ２３１及び作用電極１８を組み付けるための略楕円状の後方穴部２２が形成されている。
【００４１】
作用電極１８は、図４に示すように下方から見て略楕円状を呈しており、図１に示すように人体肌と接する面が略球面状に膨出している。この形状は、人の手の指の腹の形状を模擬したものである。また、図２９に示すように、作用電極１８の裏面には作用電極１８とメインケース２とを締結するためのボス１８０が上方に向けて３箇所立設されている。
【００４２】
本作業工程においては、まず、振動モータ２３１をメインケース２の後方穴部２２から挿入し、図１１及び図１３に示すモータ受け部２３に配置する。次いで、図１に示すように、後方穴部２２に作用電極１８を挿入配置する。そして、図１０に示すメインケース２の３箇所の貫通穴２３０と作用電極１８のボス１８０とに表側からネジを挿通し、メインケース２と作用電極１８とを締結することにより、図５に示すように振動モータ２３１及び作用電極１８の組み付け作業を完了させる。なお、図には示さないが、後方穴部２２の端縁には耐水性のゴムパッキンが配されており、作用電極１８とメインケース２との間に隙間が生じないように構成されている。
【００４３】
＜第１部品の組み付け作業＞
図１に示すように作用電極１８及び振動モータ２３１の組み付け作業（矢印１００）を行った後、メインケース２の表側に第１部品３を組み付ける作業（矢印１０１）を行う。図５、図９及び図１０に示すように、メインケース２の長手方向の略中央部には、電池蓋７を固定するためのスナップ収容部２４が上方に向けて突出形成されている。そして、スナップ収容部２４の一対の側方端面には、第１被係合部２５が形成されている。すなわち、図９及び図１２に示すように、スナップ収容部２４の一対の側方端面には、側方方向の外方に向けて突起部２５０が立設されている。また、図６に示すように、第１部品３を組み付けた状態において、突起部２５０が第１係合部３３の突起部３３０の上方に配されている。そして、突起部２５０と、第１部品３と当接するメインケース２の合せ面２５１（図６参照）とが第１係合部３３の表裏方向への変位を規制する第１被係合部２５として機能するよう構成されている。また、第１被係合部２５は、後述するように、第１係合部３３をメインケース２の長手方向から挿入可能に構成されている。
【００４４】
第１部品３は、図１４及び図１５に示すように、外表面が上方に向けて膨出した形状を呈している。また、図１７に示すように、第１部品３の裏面には、第１部品３とメインケース２とを締結するためのボス３００が下方に向けて２箇所立設されている。
【００４５】
また、第１部品３は、図１６に示すように、前後方向の中央部に、下方に向けて陥没形成された陥没部３２を有している。陥没部３２には、後述する作業工程において対電極５等が配置される。また、図１６及び図１８に示すように、陥没部３２の一対の側方壁部３２０における後端部には、第１係合部３３が形成されている。すなわち、それぞれの側方壁部３２０の後端部には、突起部３３０が互いに対向して立設されており、第１係合部３３として機能するよう構成されている。
【００４６】
本作業工程では、まず、第１部品３の前端側をメインケース２から浮かせた状態で、後端部をメインケース２に接触させつつ第１被係合部２５に挿入する。これにより、図６に示すように、メインケース２の突起部２５０と合せ面２５１との間に第１係合部３３の突起部３３０が配され、第１部品３の後端部の表裏方向への変位が規制される。次いで、第１部品３の前端側をメインケース２に当接させる。そして、そして、図１１に示すメインケース２の２箇所の貫通穴２００と第１部品３のボス３００とに裏側からネジを挿通し、メインケース２と第１部品３とを締結することにより、第１部品３の組み付け作業を完了させる。
【００４７】
＜磁石、ヨーク材及び磁石カバーの組み付け作業＞
図１に示すように第１部品３の組み付け作業（矢印１０１）を行った後、磁石１７、ヨーク材１７０及び磁石カバー１４をメインケース２に組み付け、吸着ヘッド部１３を形成する作業（矢印１０２）を行う。図２、図４及び図５等に示すように、吸着ヘッド部１３は、美容器具１の裏面方向に向けて膨出しており、その頂面に磁力を発生する磁力発生面１６を有している。
【００４８】
図８及び図１１に示すように、メインケース２裏面の前方端部には、下方から見て円状を呈するように磁石押さえ部２６が立設されている。また、磁石押さえ部２６よりも外周側には、メインケース２の端縁に沿って複数の位置合わせ穴２６０が形成されている。複数の位置合わせ穴２６０は、後述するように磁石カバー１４の位置合わせのために使用される。
【００４９】
吸着ヘッド部１３に内蔵される磁石１７は略円柱状を呈している。また、図１及び図５に示すように、磁石１７の上端面は、軟磁性体よりなる円板状のヨーク材１７０により覆われている。組み付け後の状態における磁石１７及びヨーク材１７０は、図５に示すようにヨーク材１７０側を上方に向けつつ、側周面が磁石押さえ部２６と当接するように配置されている。これにより、美容器具１は、磁石１７から発生する磁力が下方に向けてより強く作用するように構成されている。なお、本例の磁石１７は、上下方向に着磁されたネオジム磁石である。
【００５０】
磁石カバー１４は、図３０及び図３１に示すように略カップ状に形成されており、磁力発生面１６を有するカバー平坦部１４０と、カバー平坦部１４０の外周縁から上方に延設されたカバー側壁部１４１とを有している。図３０及び図３１に示すように、カバー平坦部１４０とヘッド側壁とは、緩やかな曲面によって接続されている。
【００５１】
カバー平坦部１４０は、図４に示すように、下方から見て略楕円形を呈しており、その長軸を前後方向（長手方向）に向けて配されている。また、図３１に示すように、カバー平坦部１４０の内側（上方）の表面には、磁石カバー１４とメインケース２とを締結するためのボス１５が２箇所立設されている。
【００５２】
カバー側壁部１４１は、図５及び図３１に示すように、カバー平坦部１４０の外周縁から上方へ向かって徐々に拡径している。また、図３１に示すように、カバー側壁部１４１の端面には、複数の位置合わせ突起１４２が上方に向けて立設されている。複数の位置合わせ突起１４２は、磁石カバー１４とメインケース２との組み付け作業の際にメインケース２の位置合わせ穴２６０に挿入され、メインケース２に対する磁石カバー１４の位置決めを行うことができるよう構成されている。
【００５３】
本作業工程においては、まず、ヨーク材１７０及び磁石１７をメインケース２の磁石押さえ部２６に載置する。次いで、カバー側壁部１４１の端面をメインケース２側に向け、位置合わせ突起１４２を位置合わせ穴２６０に挿入して磁石カバー１４を配置する。その後、図１６に示す第１部品３の貫通穴３１０を通して図１０に示すメインケース２の２箇所の貫通穴２０１と磁石カバー１４のボス１５とに表側からネジを挿通し、メインケース２と磁石カバー１４とを締結する。以上の作業により、図５に示すようにメインケース２と磁石カバー１４との間に磁石１７及びヨーク材１７０が収容され、カバー平坦部１４０の下側表面を磁力発生面１６とする吸着ヘッド部１３が構成される。なお、図には示さないが、カバー側壁部１４１の端面には、全周に渡って耐水性のゴムパッキンが配されており、磁石カバー１４とメインケース２との間に隙間が生じないように構成されている。
【００５４】
＜対電極及び制御基板の組み付け作業＞
図１に示すように吸着ヘッド部１３の組み付け作業（矢印１０２）を行った後、第１部品３の陥没部３２（図１６等参照）に対電極５及び制御基板１９（図５参照）を組み付ける作業（矢印１０３）を行い、第１部品３の表側に対電極５を配設する。対電極５は、図２１〜図２３に示すように、イオン導入を行う際に使用者の手が接触する板状の接触部５１と、接触部５１の下方側の面に配された前方爪部５２、締結板５３及び中央爪部５４とを有している。
【００５５】
図２１及び図２３に示すように、接触部５１は、外表面（上方）側に膨らんだ曲面状に形成されている。また、接触部５１の端縁は、図２に示すように、第１部品３に組み付けられた状態において第１部品３の端縁と面一に配置されている。
【００５６】
前方爪部５２は、図２２及び図２３に示すように、接触部５１の前方端面を基点として後方に向けて延伸形成されている。前方爪部５２は、第１部品３に組み付けられた状態において、図５に示すようにメインケース２の下方に配置されている。
【００５７】
中央爪部５４は、図２２及び図２３に示すように、接触部５１における長手方向の中央部から下方に向けて立設されている。また、中央爪部５４の先端部分は、図２３に示すようにフック状に形成されている。中央爪部５４は、第１部品３に組みつけられた状態において、図５、図１７及び図１９に示すように、第１部品３の陥没部３２における下方壁部３２１に形成された中央穴部３２２に係合されている。
【００５８】
締結板５３は、図２３に示すように略長方形状を呈しており、その中央部に、メインケース２のボス２１０（図１０参照）との締結に用いるネジを挿通するための貫通穴５３０が形成されている。また、締結板５３は、図２１及び図２３に示すように、接触部５１の後端に配設された連結部５５を介して接触部５１と接続されている。
【００５９】
制御基板１９は、前後方向に長い略長方形状を呈しており、図５に示すように、組み付けられた状態において第１部品３の陥没部３２に配設されている。また、制御基板１９の前方端部にはＬＥＤ素子１９０が配設されており、組み付けられた状態において、後述する導光部材６０の下方に配置されている。また、制御基板１９は、対電極５との電気的な接続を行うための電極板１９１を有しており、図５に示すように、電極板１９１を締結板５３とともにメインケース２に締結することにより、制御基板１９と対電極５とが電気的に接続されるよう構成されている。また、制御基板１９は、図には示さないが、作用電極１８、振動モータ２３１及び電池７２の両極の各々とも電気的に接続されている。
【００６０】
本作業工程では、まず、対電極５の前方爪部５２をメインケース２の前端よりも前方に突出させた状態で、対電極５を第１部品３の陥没部３２に上方から挿入する。次いで、対電極５を後方にずらし、前方爪部５２をメインケース２の下方に挿入するとともに、中央爪部５４を図１９に示す第１部品３の中央穴部３２２に係合させる。その後、制御基板１９を後方から陥没部３２に挿入配置し、図５に示すように、メインケース２と、陥没部３２の下方壁部３２１と、対電極５の締結板５３と、電極板１９１とをこの順で重ねる。この状態で、電極板１９１の貫通穴（図示略）と、図２２に示す締結板５３の貫通穴５３０と、図１６に示す第１部品３の貫通穴３１１と、メインケース２のボス２１０とにネジを挿通し、電極板１９１の上方からこれらを締結する。その後、制御基板１９の後端部に形成された貫通穴（図示略）と図１０に示すメインケース２のボス２１１とを表側から締結する。以上のようにして、対電極５及び制御基板１９の組み付け作業を完了させる。
【００６１】
＜導光部材の組み付け作業＞
図１及び図５に示すように対電極５及び制御基板１９の組み付け作業（矢印１０３）を行った後、導光部材６０の組み付け作業（矢印１０４）を行う。導光部材６０は、図２４に示すように、板状のベース部６１の中央部に、上方から見て略Ｕ字状を呈するように隆起形成された窓部６２を有している。また、ベース部６１は、その前方中央部に、前方に向けて延伸形成された突出部６３を有している。
【００６２】
本作業工程においては、図２３に示す、対電極５の接触部５１と連結部５５との間に形成された空隙５５０に、導光部材６０の突出部６３を挿入する。これにより、図５に示すように、導光部材６０が制御基板１９のＬＥＤ素子１９０の上方に配設され、対電極５と第２部品４との間に発光部６が配される。
【００６３】
なお、本例において、ＬＥＤ素子１９０は、制御基板１９により、イオン導入電流が人体肌に流れている状態において発光するように制御されている。つまり、本例の制御基板１９は、作用電極１８と対電極５との双方と人体肌とが接触し、人体肌にイオン導入電流が流れたことを検知する機能を有している。そして、制御基板１９は、人体肌にイオン電流が流れている間、ＬＥＤ素子１９０を発光させるように構成されている。
【００６４】
＜第２部品の組み付け作業＞
図１に示す導光部材６０の組み付け作業（矢印１０４）に続いて、第２部品４の組み付け作業（矢印１０５）を行う。第２部品４は、図２５〜図２７に示すように前後方向に延設されている。第２部品４の外表面４０は、側方方向の両端から中心線に向かって、側方方向の中央を頂点として略円弧状を呈する滑らかな曲面を形成している。また、図２７に示すように、第２部品４の裏面には、第２係合部４２と、第２部品４とメインケース２とを締結するためのボス４００が下方に向けて立設されている。
【００６５】
第２係合部４２は、図２６に示すように、側方から見て略長方形状を呈しており、図２６及び図２８に示すように、その後方と下方との２辺に、側方方向の外方に向けて突起部４２０が立設されている。
【００６６】
一方、第２係合部４２を係合する第２被係合部３４は、図１４、１６及び図２０に示すように、第１部品３の陥没部３２における前後方向の略中央部に形成されている。すなわち、陥没部３２のそれぞれの側方壁部３２０における導光部材６０が配される部分よりも後方側には、突起部３４０が互いに対向して立設されている。また、図７に示すように、第２被係合部３４の突起部３４０は、第２部品４を組み付けた状態において、第２係合部４２の突起部４２０の上方に配されている。そして、突起部３４０と、第２部品４と当接する第１部品３の合せ面３４１（図７参照）とが第２係合部４２の表裏方向への変位を規制する第２被係合部３４として機能するよう構成されている。また、第２被係合部３４は、後述するように、第２係合部４２をメインケース２の長手方向から挿入可能に構成されている。
【００６７】
本作業工程では、まず、第２部品４の後端側をメインケース２から浮かせた状態で、前端部を第１部品３に接触させつつ第２被係合部３４に挿入する。これにより、図７に示すように、第１部品３の突起部３４０と合せ面３４１との間に第２係合部４２の突起部４２０が配され、第２部品４の前端部の表裏方向への変位が規制される。次いで、第２部品４の後端側をメインケース２に当接させる。そして、そして、図１１に示すメインケース２の貫通穴２０２と第２部品４のボス４００とに裏側からネジを挿通し、メインケース２と第２部品４とを締結することにより、第２部品４の組み付け作業を完了させる。
【００６８】
＜電池及び電池蓋の組み付け作業＞
電池７２は、メインケース２の裏面に配設された、図１１及び図１３に示す電池収容部２７内に挿入可能である。また、電池蓋７は、電池収容部２７を覆うように着脱可能に装着されている。また、図５に示すように、電池収容部２７の前後方向の両端には、制御基板１９と電気的に接続された電源電極１９２が配されており、電池７２の両極と接触可能に構成されている。
【００６９】
電池蓋７は、図３２及び図３３に示すように、前方端部に配設されたスナップ片部７０と、後方端部に配設された電池蓋爪部７１とを有している。また、電池蓋７のメインケース２側の表面における外周縁部には、耐水性のパッキン７３が配設されている。
【００７０】
図１に示す電池７２及び電池蓋７の装着作業（矢印１０６）では、電池７２を電池収容部２７に装着した後、電池収容部２７の後端に電池蓋爪部７１を係合させる。次いで、スナップ片部７０をメインケース２のスナップ収容部２４に挿入して両者を係合させることにより、電池蓋７がメインケース２に装着される。
【００７１】
次に、本例の美容器具１の作用効果について説明する。美容器具１は、図２に示すように、磁石１７を内蔵させた吸着ヘッド部１３と、イオン導入用の作用電極１８とを備えている。使用者が美容剤を塗布した肌面に吸着ヘッド部１３を近づけると、その磁力により、磁性粉末を含んだ美容剤が吸着ヘッド部１３に吸着される。その結果、美容器具１は、使用後の美容剤を簡便に除去することができる。
【００７２】
また、使用者が電荷を帯びた美容成分を塗布した肌面に作用電極１８を接触させることにより、当該接触部分にイオン導入電流が流れ、美容成分が肌内部へ向けて移動しやすくなる。その結果、美容器具１は、美容成分の浸透を促進させ、美容効果を迅速に発揮させやすくなる。
【００７３】
そして、美容器具１は、図２に示すように、吸着ヘッド部１３と作用電極１８との両方を有している。そのため、美容器具１は、上述のように、美容剤により肌の汚れや老廃物を除去する作業と、イオン導入電流により電荷を帯びた美容成分を肌内部へ浸透させる作業との両方を、１つの器具によって容易に連続して実施することができる。その結果、使用者は、２つの作業について別々の器具を準備し、使い分ける必要がなくなる。
【００７４】
また、メインケース２と第１部品３とが図６に示すように係合されており、第１部品３と第２部品４とが図７に示すように係合されている。そのため、上記美容器具に対して曲げ方向やねじり方向への力がかかった場合、これらの力を各々の係合部及び被係合部を介して積層補強部１２に分散させやすくなる。
【００７５】
また、図４に示すように、第２部品４と第１部品３とメインケース２とが積層された積層補強部１２が設けられている。そのため、美容器具１に対して曲げ方向やねじり方向への力がかかった場合、これらの力に対する強度を構造的に向上させることができる。このように、美容器具１は、曲げ方向やねじり方向への力を積層補強部１２に分散させる効果と、積層補強部１２による構造的な強度向上効果との双方の効果により、曲げ方向やねじり方向への力に対する強度をより向上させることができるものとなる。
【００７６】
また、上述のように積層補強部１２を設けることにより、美容器具１の筐体の強度を向上させることができるため、美容器具１は、外観のデザインをより自由に行うことができるものとなる。その結果、美容器具１は、外観の意匠性に優れたものとなる。
【００７７】
また、第１係合部３３は積層補強部１２における第２部品４側の端部に配されており、第２係合部４２は積層補強部１２における第１部品３側の端部に配されている。そのため、第１係合部３３及び第２係合部４２は、美容器具１の長手方向において、互いに離間して配置されることとなる。そのため、曲げ方向やねじり方向への力が積層補強部１２全体に分散される。その結果、美容器具１は、曲げ方向やねじり方向への力に対する強度をより向上させることができる。
【００７８】
また、第１被係合部２５は第１係合部３３を長手方向から挿入可能に構成されており、第２被係合部３４は第２係合部４２を長手方向から挿入可能に構成されている。そのため、第１部品３をメインケース２に組み付ける作業と、第２部品４を第１部品３に組み付ける作業との双方を容易に行うことができる。その結果、美容器具１の組立作業をより効率的に行うことができる。
【００７９】
また、図６に示すように、積層補強部１２の断面の外形状が略円形を呈している。そのため、積層補強部１２の強度をより向上させることができる。
【００８０】
また、図５に示すように、磁石１７及び磁石カバー１４は、メインケース２における第１部品３側の端部に配設されている。上述のように、第１係合部３３は、第１被係合部２５とともに、メインケース２と第２部品４との双方により表裏方向への変位を規制されるため、より大きな曲げ力に耐えることができる。そのため、比較的重量の大きい磁石１７及び磁石カバー１４を第１部品３側の端部に配設することにより、積層補強部１２による強度向上効果をより効果的に利用することができる。
【００８１】
また、図３及び図４に示すように、第１部品３の表側にはイオン導入用の対電極５が配設されており、メインケース２に対して第２部品４の反対側には、作用電極１８が配設されている。そのため、作用電極１８と対電極５との双方と人体とが接触することにより、美容器具１と人体との間に環状の電流経路が形成される。また、対電極５を上述の位置に配置することにより、イオン導入を行う際に対電極５が使用者の掌と接触しやすくなるため、対電極５が人体と接触する面積を広くすることが容易となる。その結果、イオン導入電流を人体により効率よく流すことが可能となる。
【００８２】
また、作用電極１８と対電極５とは、メインケース２に対して、互いに反対側の面に配置されている。これにより、美容器具１は、机上等に載置する際に、作用電極１８と対電極５とが同時に載置面と接触する可能性を低減することができる。そのため、美容器具１は、作用電極１８と対電極５とが載置面を介して導通する可能性を低減でき、消費電力を低減しやすくなる。その結果、使用者にとっての利便性をより向上させることができる。
【００８３】
また、作用電極１８及び対電極５の双方は、外表面に酸化クロムメッキを施した硬質プラスチックより形成されている。酸化クロムメッキにより形成される皮膜は、耐久性に優れるものとなるため、作用電極１８及び対電極５が長期間の使用に耐えうるものとなる。その結果、美容器具１は、耐久性の高いものとなる。また、酸化クロムメッキによる皮膜は、高い光沢を容易に得ることができる。そのため、作用電極１８及び対電極５を硬質プラスチックで形成することによる形状の自由度と上述した高い光沢との相乗効果により、美容器具１は、より意匠性に優れるものとなる。
【００８４】
また、メインケース２に対して第２部品４の反対側には、美容器具１に動作用電力を供給する電池７２が内蔵されている。そのため、第２部品４側に剛性の高い電池７２が配置されることにより、第２部品４側においても、曲げ力に対する強度を向上させることができる。その結果、美容器具１は、より強度の高いものとなる。
【００８５】
以上のように、美容器具１は、外観の意匠性に優れ、筐体の強度が充分大きいものとなる。
【符号の説明】
【００８６】
１  美容器具
１０  表側部品
１１  裏側部品
１２  積層補強部
１３  吸着ヘッド部
１４  磁石カバー
１７  磁石
１８  作用電極
２  メインケース
２５  第１被係合部
３  第１部品
３３  第１係合部
３４  第２被係合部
４  第２部品
４２  第２係合部
【図１】
2014117496.tif 000003
【図２】
2014117496.tif 000004
【図３】
2014117496.tif 000005
【図４】
2014117496.tif 000006
【図５】
2014117496.tif 000007
【図６】
2014117496.tif 000008
【図７】
2014117496.tif 000009
【図８】
2014117496.tif 000010
【図９】
2014117496.tif 000011
【図１０】
2014117496.tif 000012
【図１１】
2014117496.tif 000013
【図１２】
2014117496.tif 000014
【図１３】
2014117496.tif 000015
【図１４】
2014117496.tif 000016
【図１５】
2014117496.tif 000017
【図１６】
2014117496.tif 000018
【図１７】
2014117496.tif 000019
【図１８】
2014117496.tif 000020
【図１９】
2014117496.tif 000021
【図２０】
2014117496.tif 000022
【図２１】
2014117496.tif 000023
【図２２】
2014117496.tif 000024
【図２３】
2014117496.tif 000025
【図２４】
2014117496.tif 000026
【図２５】
2014117496.tif 000027
【図２６】
2014117496.tif 000028
【図２７】
2014117496.tif 000029
【図２８】
2014117496.tif 000030
【図２９】
2014117496.tif 000031
【図３０】
2014117496.tif 000032
【図３１】
2014117496.tif 000033
【図３２】
2014117496.tif 000034
【図３３】
2014117496.tif 000035